(57)【要約】【課題】  アンテナ回路が形成されたシート基材にＩＣチップ部が取り付けられたインレイが一対のケース体の収容部内に挟み込むようにして収納させたインレイ内蔵ケースを用い、このインレイ内蔵ケースが勝手に開閉された場合に、これを簡単に検知できるようにする。【解決手段】  アンテナ回路11が形成されたシート基材10にＩＣチップ部20が取り付けられたインレイ１を、一対のケース体31,32の収容部31a,32a内に挟み込むようにして接着させたインレイ内蔵ケースにおいて、上記の一対のケース体を分離させた際に、インレイにおけるＩＣチップ部がシート基材から分離されるようにした。【選択図】  図６
2007325769.tif 000002
【特許請求の範囲】
【請求項１】
アンテナ回路が形成されたシート基材にＩＣチップ部が取り付けられたインレイを、一対のケース体の収容部内に挟み込むようにして接着させたインレイ内蔵ケースにおいて、上記の一対のケース体を分離させた際に、上記のインレイにおけるＩＣチップ部がシート基材から分離されることを特徴とするインレイ内蔵ケース。
【請求項２】
請求項１に記載したインレイ内蔵ケースにおいて、上記のインレイにおけるＩＣチップ部が取り付けられていないシート基材の面が第１粘着部材により一方のケース体の収容部に接着される一方、シート基材のＩＣチップ部が取り付けられた面が第２粘着部材により他方のケース体の収容部に接着されてなり、上記のシート基材及びケース体の収容部に対する第１粘着部材の接着力と、上記のＩＣチップ部及びケース体の収容部に対する第２粘着部材の接着力とが、上記のシート基材に対するＩＣチップ部の接着力よりも強くなっていることを特徴とするインレイ内蔵ケース。
【請求項３】
請求項２に記載したインレイ内蔵ケースにおいて、上記の各ケース体の収容部に対する第１粘着部材及び第２粘着部材の接着力が、ＩＣチップ部が取り付けられたシート基材の面に対する第２粘着部材の接着力よりも強くなっていることを特徴とするインレイ内蔵ケース。
【請求項４】
請求項３に記載したインレイ内蔵ケースにおいて、上記の第２粘着部材が、ケース体の収容部に接着される第１粘着層とＩＣチップ部が取り付けられたシート基材の面に接着される第２粘着層との間に中間シートが設けられて構成され、ケース体の収容部及び中間シートに対する第１粘着層の接着力と、中間シートに対する第２粘着層の接着力とが、ＩＣチップ部が取り付けられたシート基材の面に対する第２粘着層の接着力よりも強くなっていることを特徴とするインレイ内蔵ケース。
【請求項５】
請求項２〜請求項４の何れか１項に記載したインレイ内蔵ケースにおいて、ＩＣチップ部が取り付けられたシート基材の面の少なくとも縁部の一部に剥離層が、又は上記の第２粘着部材のシート基材に接着される面の少なくとも縁部の一部に接着力弱化層が形成されていることを特徴とするインレイ内蔵ケース。
【請求項６】
請求項１〜請求項５の何れか１項に記載したインレイ内蔵ケースにおいて、少なくとも上記の第２粘着部材が緩衝性を有することを特徴とするインレイ内蔵ケース。
【発明の詳細な説明】
【技術分野】
【０００１】
本発明は、アンテナ回路が形成されたシート基材にＩＣチップ部が取り付けられたインレイを、一対のケース体の収容部内に挟み込むようにして内蔵させたインレイ内蔵ケースに係り、特に、このインレイ内蔵ケースをパチンコ機やスロットマシン等の遊技機に装着させて使用する場合に、このインレイ内蔵ケースが勝手に開閉された場合に、これを簡単に検知できるようにした点に特徴を有するものである。
【背景技術】
【０００２】
近年、アンテナ回路が形成されたシート基材にＩＣチップ部が取り付けられたインレイを装着させた各種の収納ケースが様々な分野で使用されるようになった。
【０００３】
ここで、パチンコ機やスロットマシン等の遊技機においては、ＲＯＭなどのメモリーチップを一対のケース体の収納部内に収納させた回路基板収納ケースを遊技機に装着させ、上記のＲＯＭなどのメモリーチップに基づいて遊技機の制御を行うようにしたものが用いられている。
【０００４】
しかし、近年においては、上記のような回路基板収納ケースを用いた遊技機において、この回路基板収納ケースにおける一対のケース体を勝手に分離させて、このケース体内に収納されているＲＯＭなどのメモリーチップを不正に交換することが行われるという問題が発生している。
【０００５】
このため、上記のような回路基板収納ケースにおいて、一対のケース体を連結するネジなどの連結部材にカバー部材を取り付けると共に、このカバー部材に、アンテナ回路が形成されたシート基材にＩＣチップ部が取り付けられたインレイを設けるにようにし、一対のケース体の分離させる際におけるカバー部材の破壊に伴ってインレイが破壊されるようにし、これによりインレイによる外部との通信が行えなくなるようにしたものが提案されている（例えば、特許文献１参照。）。
【０００６】
しかし、このように一対のケース体を連結するネジなどの連結部材に取り付けるカバー部材に、上記のようなインレイを設けることは非常に困難であり、コストが高くつくなどの問題があった。
【特許文献１】特開平２００５−１３０９０９号公報
【発明の開示】
【発明が解決しようとする課題】
【０００７】
この発明は、各種の収納ケースにおいて、この収納ケースが勝手に開閉された場合に、これを簡単に検知できるようにすることを課題とするものであり、特に、アンテナ回路が形成されたシート基材にＩＣチップ部が取り付けられたインレイを、一対のケース体の収容部内に挟み込むようにして内蔵させたインレイ内蔵ケースを用い、このインレイ内蔵ケースが勝手に開閉された場合に、これを簡単に検知できるようにすることを課題とするものである。
【課題を解決するための手段】
【０００８】
この発明においては、上記のような課題を解決するため、アンテナ回路が形成されたシート基材にＩＣチップ部が取り付けられたインレイを、一対のケース体の収容部内に挟み込むようにして接着させたインレイ内蔵ケースにおいて、上記の一対のケース体を分離させた際に、上記のインレイにおけるＩＣチップ部がシート基材から分離されるようにしたのである。
【０００９】
ここで、このインレイ内蔵ケースにおいて、上記のインレイを一対のケース体の収容部内に挟み込むようにして接着させるにあたり、上記のインレイにおいてＩＣチップ部が取り付けられていないシート基材の面を、第１粘着部材により一方のケース体の収容部に接着させると共に、シート基材のＩＣチップ部が取り付けられた面を、第２粘着部材により他方のケース体の収容部に接着させた場合において、上記の一対のケース体を分離させた際に、インレイにおけるＩＣチップ部がシート基材から分離されるようにするためには、上記のシート基材及びケース体の収容部に対する第１粘着部材の接着力と、上記のＩＣチップ部及びケース体の収容部に対する第２粘着部材の接着力とが、シート基材に対するＩＣチップ部の接着力よりも強くなるようにする。
【００１０】
また、上記のインレイ内蔵ケースにおいて、上記のように一対のケース体を分離させた際に、ＩＣチップ部が第２粘着部材に接着されてインレイにおけるシート基材から適切に分離されるようにするため、上記のケース体の収容部に対する第１粘着部材及び第２粘着部材の接着力を、ＩＣチップ部が取り付けられたシート基材の面に対する第２粘着部材の接着力よりも強くすることが好ましい。
【００１１】
そして、このようにケース体の収容部に対する第２粘着部材の接着力を、ＩＣチップ部が取り付けられたシート基材の面に対する接着力よりも強くするにあたっては、例えば、上記の第２粘着部材として、ケース体の収容部に接着される第１粘着層とＩＣチップ部が取り付けられたシート基材の面に接着される第２粘着層との間に中間シートを設けたものを用い、ケース体の収容部及び中間シートに対する第１粘着層の接着力と、中間シートに対する第２粘着層の接着力とを、ＩＣチップ部が取り付けられたシート基材の面に対する第２粘着層の接着力よりも強くさせるようにする。
【００１２】
また、上記のように一対のケース体を分離させた際に、ＩＣチップ部が第２粘着部材に接着されてインレイにおけるシート基材から適切に分離されるようにするため、ＩＣチップ部が取り付けられたシート基材の面の少なくとも縁部の一部に剥離層を形成し、又は上記の第２粘着部材のシート基材に接着される面の少なくとも縁部の一部に接着力弱化層を形成し、上記の第２粘着部材を、この剥離層又は接着力弱化層によってＩＣチップ部が取り付けられたシート基材の面から剥離されやすくすることができる。
【００１３】
また、上記のインレイ内蔵ケースにおいては、インレイに設けられたＩＣチップ部に衝撃加重などの負荷が直接作用するのを抑制するため、少なくとも上記の第２粘着部材として緩衝性を有するものを用いることが好ましい。
【発明の効果】
【００１４】
この発明においては、アンテナ回路が形成されたシート基材にＩＣチップ部が取り付けられたインレイを、一対のケース体の収容部内に挟み込むようにして接着させたインレイ内蔵ケースを用い、上記の一対のケース体を分離させた際に、インレイにおけるＩＣチップ部がシート基材から分離されるようにしたため、上記の一対のケース体を分離させて、このインレイ内蔵ケースを開けると、上記のインレイにおけるＩＣチップ部とアンテナ回路とが分離されるようになり、インレイに設けられたＩＣチップ部が、アンテナ回路を通して外部の通信手段と通信することができなくなる。
【００１５】
そして、このように外部の通信手段との間で通信を行うことができなくなることにより、このインレイ内蔵ケースが勝手に開閉されたことを簡単に検知することができるようになる。
【発明を実施するための最良の形態】
【００１６】
以下、この発明の実施形態に係るインレイ内蔵ケースを添付図面に基づいて具体的に説明する。なお、この発明に係るインレイ内蔵ケースは、特に下記の実施形態に示したものに限定されるものではなく、その要旨を変更しない範囲において適宜変更して実施できるものである。
【００１７】
この実施形態におけるインレイ内蔵ケースにおいては、インレイ１を形成するにあたり、図１（Ａ）に示すように、一対のチップ接続部１１ａを有する所定パターンのアンテナ回路１１が形成されたシート基材１０と、図１（Ｂ）に示すように、ストラップ用シート２１に設けられた一対の電極２２間にＩＣチップ２３が取り付けられたストラップからなるＩＣチップ部２０とを用いるようにしている。
【００１８】
そして、図２（Ａ），（Ｂ）に示すように、シート基材１０に設けられたアンテナ回路１１のチップ接続部１１ａに、ＩＣチップ部２０に設けられた電極２２を接続させるようにして、ＩＣチップ部２０をシート基材１０に取り付けるようにしている。但し、使用するインレイ１０の種類は上記のようなものに限定されず、例えば、図３に示すように、シート基材１０に設けるアンテナ回路１１のパターンを変更させるようにしたり、また図４に示すように、シート基材１０に形成されたアンテナ回路１１における一対のチップ接続部１１ａに、ＩＣチップ部２０としてＩＣチップ２３を直接取り付けるようにすることも可能である。
【００１９】
また、上記のインレイ１を内蔵させる一対のケース体３１，３２として、この実施形態においては、図５に示すように、分離可能に形成された一対のケース体３１，３２を接合させる面に、それぞれ上記のインレイ１を内蔵させるための収容部３１ａ，３２ａが設けられたものを用いるようにしている。なお、これらのケース体３１，３２においては、インレイ内蔵ケースの用途などに応じて、図示していないが、ＲＯＭなどのメモリーチップやＣＰＵなどを収納させるようにすることができる。また、この実施形態においては、一対のケース体３１，３２を分離させるようにしているが、この一対のケース体３１，３２をヒンジ（図示せず）などで連結させて、この一対のケース体３１，３２を開閉させるようにして分離させることも可能である。
【００２０】
そして、この実施形態におけるインレイ内蔵ケースにおいては、上記のようなインレイ１を上記の一対のケース体３１，３２における収容部３１ａ，３２ａ内に挟み込むようにして接着させるにあたり、図６に示すように、ＩＣチップ部２０が取り付けられていないシート基材１０の面を第１粘着部材４０により一方のケース体３１の収容部３１ａに接着させると共に、ＩＣチップ部２０が取り付けられたシート基材１０の面に第２粘着部材５０により他方のケース体３２の収容部３２ａに接着させるようにして、一対のケース体３１，３２相互を接合させるようにしている。
【００２１】
ここで、上記のようにインレイ１を上記の一対のケース体３１，３２における収容部３１ａ，３２ａ内に挟み込むようにして接着させるにあたり、この実施形態においては、上記のシート基材１０及びケース体３１の収容部３１ａに対する第１粘着部材４０の接着力と、上記のＩＣチップ部２０及びケース体３２の収容部３２ａに対する第２粘着部材５０の接着力とを、それぞれ上記のシート基材１０に対するＩＣチップ部２０の接着力よりも強くすると共に、上記の各ケース体３１，３２の収容部３１ａ，３２ａに対する第１粘着部材４０及び第２粘着部材５０の接着力を、ＩＣチップ部２０が取り付けられたシート基材１０の面に対する第２粘着部材５０の接着力よりも強くしている。
【００２２】
このようにして、インレイ１を上記の一対のケース体３１，３２における収容部３１ａ，３２ａ内に挟み込むように接着させた状態で、この一対のケース体３１，３２を分離させると、図７に示すように、上記の各ケース体３１，３２の収容部３１ａ，３２ａに対する第１粘着部材４０及び第２粘着部材５０の接着力が、ＩＣチップ部２０が取り付けられたシート基材１０の面に対する第２粘着部材５０の接着力よりも強くなっているため、第１粘着部材４０及び第２粘着部材５０がそれぞれケース体３１，３２の収容部３１ａ，３２ａに接着された状態で維持され、ＩＣチップ部２０が取り付けられたシート基材１０の面から第２粘着部材５０が剥離されるようになる。また、ＩＣチップ部２０に対する第２粘着部材５０の接着力が、シート基材１０に対するＩＣチップ部２０の接着力よりも強くなっているため、ＩＣチップ部２０がこの第２粘着部材５０に接着されて、アンテナ回路１１が形成されたシート基材１０から分離されるようになる。
【００２３】
この結果、このインレイ内蔵ケースを開けると、インレイ１に設けられたＩＣチップ部２０がアンテナ回路１１を通して外部の通信手段と通信することができなくなり、これにより、このインレイ内蔵ケースが勝手に開閉されたことを簡単に検知することができるようになる。
【００２４】
次に、この実施形態におけるインレイ内蔵ケースにおいて、上記のようにシート基材１０及びケース体３１の収容部３１ａに対する第１粘着部材４０の接着力と、上記のＩＣチップ部２０及びケース体３２の収容部３２ａに対する第２粘着部材５０の接着力とを、それぞれ上記のシート基材１０に対するＩＣチップ部２０の接着力よりも強くすると共に、上記の第１粘着部材４０及び第２粘着部材５０のケース体３１，３２の収容部３１ａ，３２ａに対する第１粘着部材４０及び第２粘着部材５０の接着力を、ＩＣチップ部２０が取り付けられたシート基材１０の面に対する第２粘着部材５０の接着力よりも強くするようにして、インレイ１を上記の一対のケース体３１，３２における収容部３１ａ，３２ａ内に挟み込むように接着させる場合について具体的に説明する。
【００２５】
ここで、この実施形態においては、図８に示すように、ＩＣチップ部２０が取り付けられていないシート基材１０の面を一方のケース体３１の収容部３１ａに接着させる第１粘着部材４０として、緩衝性のある基材４１の両面に粘着剤４２が設けられた両面テープを用いる一方、ＩＣチップ部２０が取り付けられたシート基材１０の面を他方のケース体３２の収容部３２ａに接着させる第２粘着部材５０として、ケース体３２の収容部３２ａに接着される第１粘着層５１とＩＣチップ部２０が取り付けられたシート基材１０の面に接着される第２粘着層５２との間に緩衝性のある中間シート５３が設けられたものを用い、上記の第１粘着層５１として、上記の第１粘着部材４０と同様に、緩衝性のある基材５１ａの両面に粘着剤５１ｂが設けられた両面テープを用いるようにしている。
【００２６】
そして、上記の第１粘着部材４０や第１粘着層５１における粘着剤４２，５１ｂの接着力を、上記の第２粘着層５２における粘着剤５２ｂの接着力よりも強くし、またこの第２粘着層５２における粘着剤５２ｂのＩＣチップ部２０に対する接着力を、シート基材１０に対するＩＣチップ部２０の接着力よりも強くすると共に、この第２粘着層５２における粘着剤５２ｂの中間シート５３に対する接着力を、ＩＣチップ部２０が取り付けられたシート基材１０の面に対する接着力よりも強くなるようにしている。
【００２７】
ここで、この実施形態においては、上記の第１粘着部材４０や第１粘着層５１における粘着剤４２，５１ｂとして、ＳＵＳ板に対する接着力が１５００ｇ／２５ｍｍのものを用いる一方、上記の第２粘着層５２における粘着剤５２ｂとして、ＳＵＳ板に対する接着力が８００ｇ／２５ｍｍのものを用いた。なお、第１粘着部材４０や第１粘着層５１に用いる粘着剤４２，５１ｂにおける上記の接着力と、第２粘着層５２に用いる粘着剤５２ｂにおける上記の接着力との比が、１．３〜３の範囲のものを用いることが好ましい。
【００２８】
そして、前記のように一対のケース体３１，３２を接合させて、この一対のケース体３１，３２における収容部３１ａ，３２ａ内に上記のインレイ１を挟み込むように接着させると、上記の第１粘着層５１や第１粘着部材４０における緩衝性のある基材５１ａや上記の中間シート５３が変形して、ＩＣチップ部２０が第２粘着部材５０に十分に接着されると共に、このＩＣチップ部２０に衝撃加重などの負荷が直接作用するのが抑制され、ＩＣチップ部２０が破壊されるのが防止される。また、このような効果を一層向上させるために、上記の第１粘着部材４０にも、その構成材料として、第２粘着部材５０に用いる中間シート５３と同様なシートを用いることができる。
【００２９】
また、このように一対のケース体３１，３２における収容部３１ａ，３２ａ内にインレイ１を挟み込むように接着させたインレイ内蔵ケースを開け、この一対のケース体３１，３２を分離させると、図９に示すように、上記の第２粘着部材５０における第２粘着層５２が、ＩＣチップ部２０が取り付けられたシート基材１０の面から剥離されると共に、ＩＣチップ部２０がこの第２粘着層５２に接着されてシート基材１０から分離され、前記のようにＩＣチップ部２０がアンテナ回路１１を通して外部の通信手段と通信することができなくなる。
【００３０】
ここで、前記のようにケース体３２の収容部３２ａに接着される第１粘着層５１とＩＣチップ部２０が取り付けられたシート基材１０の面に接着される第２粘着層５２との間に中間シート５３を設けるにあたり、中間シート５３として緩衝性がないものを設けることもできるが、緩衝性のある中間シート５３を設けると、上記のように一対のケース体３１，３２を分離させる際に、確実にシート基材１０と第２粘着層５２との間で剥離するようになり、ＩＣチップ部２０をこの第２粘着層５２に接着されてシート基材１０から分離させることがより確実に行えるようになる。なお、この実施形態においては、上記の中間シート５３として、厚みが５１０μｍの発泡ポリエチレンを用いるようにしたが、発泡ポリエチレン以外に、発泡ポリプロピレン、発泡ポリウレタン、発泡ＰＥＴ（例えば、東洋紡社製のクリスバー）、合成紙（例えば、ポリプロピレンを延伸処理して製造したユポコーポレーション社製のユポ紙）などの各種の緩衝用材料を用いることができる。
【００３１】
また、上記のように一対のケース体３１，３２を分離させた場合に、上記の第２粘着部材５０における第２粘着層５２が、ＩＣチップ部２０が取り付けられたシート基材１０の面から確実に剥離されるようにするため、図１０に示すように、ＩＣチップ部２０が取り付けられたシート基材１０の面の縁部に剥離層１２を形成させることも可能である。なお、このようにＩＣチップ部２０が取り付けられたシート基材１０の面の縁部に剥離層１２を形成した場合、この剥離層１２の部分が起点となり、図１１に示すように、ＩＣチップ部２０が取り付けられたシート基材１０の面から前記の第２粘着部材５０が確実に剥離されて、この第２粘着部材５０にＩＣチップ部２０が接着されて、確実にシート基材１０から分離されるようになる。なお、図１０においては、剥離層１２はシート基材１０の面の縁部全周にわたって設けられているが、縁部の一部、例えば、図１１においてインレイ内蔵ケースの一対のケース体３１，３２を右側から左側に向けて分離される構成とすれば、シート基材１０の面の右側縁部のみに設けてもよい。
【００３２】
また、上記のようにシート基材１０の面の縁部に剥離層１２を形成する代わりに、シート基材１０と接着される第２粘着部材５０の面の縁部の全周又は一部に接着力を弱める接着力弱化層（図示せず）を形成しても、この接着力弱下層の部分が起点となり、ＩＣチップ２０が取付けられたシート基材１０の面から前記の第２粘着部材５０が確実に剥離され、この第２粘着部材５０にＩＣチップ２０が接着されて確実にシート基材１０から分離されるようになる。ここで、接着力弱下層としては、例えば、ＵＶ硬化型のメジウム等の印刷用メジウムを第２粘着部材５０のシート基材１０と接着される面に塗布することによって形成することができる。
【００３３】
なお、上記のようにＩＣチップ部２０が取り付けられたシート基材１０の面の縁部に剥離層１２を形成した場合や、シート基材１０と接着される第２粘着部材５０の面の縁部に接着力を弱める接着力弱化層を形成した場合には、ＩＣチップ部２０が取り付けられたシート基材１０の面から第２粘着部材５０が確実に剥離されるようになるため、上記のように中間シート５３を介して接着力の弱くなった第２粘着層５２を設けなくともよく、第２粘着部材５０として、前記の第１粘着層５１だけを設けるようにすることも可能になる。
【図面の簡単な説明】
【００３４】
【図１】この発明の一実施形態に係るインレイ内蔵ケースにおいて使用するインレイを構成する例を示し、（Ａ）はアンテナ回路が形成されたシート基材の概略平面図、（Ｂ）はストラップ用シートに設けられた一対の電極間にＩＣチップを取り付けたストラップからなるＩＣチップ部の拡大平面図である。
【図２】同実施形態に係るインレイ内蔵ケースにおいて使用するインレイを示し、（Ａ）は概略平面図、（Ｂ）は部分拡大説明図である。
【図３】同実施形態に係るインレイ内蔵ケースにおいて、インレイを構成するのに使用するシート基材に設けるアンテナ回路を変更させた例を示した概略平面図である。
【図４】同実施形態に係るインレイ内蔵ケースにおいて使用するインレイの変更例を示し、（Ａ）は概略平面図、（Ｂ）は概略正面図である。
【図５】同実施形態に係るインレイ内蔵ケースにおいて使用する一対のケース体を分離させた状態を示した断面説明図である。
【図６】同実施形態に係るインレイ内蔵ケースの断面説明図である。
【図７】同実施形態に係るインレイ内蔵ケースにおいて、一対のケース体を分離させて、ＩＣチップ部をシート基材の面から分離させた状態を示した断面説明図である。
【図８】同実施形態に係るインレイ内蔵ケースにおいて、一対のケース体における収容部内にインレイを挟み込むようにして接着させた状態を示した部分拡大説明図である。
【図９】同実施形態に係るインレイ内蔵ケースにおいて、一対のケース体を分離させて、ＩＣチップ部をシート基材の面から分離させた状態を示した部分拡大説明図である。
【図１０】同実施形態に係るインレイ内蔵ケースにおいて、ＩＣチップ部が取り付けられたシート基材の面の縁部に剥離層を形成したインレイを示した概略平面図である。
【図１１】同実施形態に係るインレイ内蔵ケースにおいて、ＩＣチップ部が取り付けられたシート基材の面の縁部に剥離層を形成したインレイを内蔵させた一対のケース体を分離させて、ＩＣチップ部をシート基材の面から分離させた状態を示した部分拡大説明図である。
【符号の説明】
【００３５】
１  インレイ
１０  シート基材
１１  アンテナ
１１ａ  チップ取付部
１２  剥離層
２０  ＩＣチップ部
２１  ストラップ用シート
２２  電極
２３  ＩＣチップ
３１，３２  ケース体
３１ａ，３２ａ  収容部
４０  第１粘着部材
４１  基材
４２  粘着剤
５０  第２粘着部材
５１  第１粘着層
５１ａ  基材
５１ｂ  粘着剤
５２  第２粘着層
５２ｂ  粘着剤
５３  中間シート
【図１】
2007325769.tif 000003
【図２】
2007325769.tif 000004
【図３】
2007325769.tif 000005
【図４】
2007325769.tif 000006
【図５】
2007325769.tif 000007
【図６】
2007325769.tif 000008
【図７】
2007325769.tif 000009
【図８】
2007325769.tif 000010
【図９】
2007325769.tif 000011
【図１０】
2007325769.tif 000012
【図１１】
2007325769.tif 000013